(57)【要約】【課題】  水、及び液体中に於ける浮力を利用して、動力を発生させる。【解決手段】  水、及び液体（２）を張った水槽（１）の下部に空気室（３）を設け、大滑車（９）、中滑車（１０）、小滑車（１１）、（１２）を配して、その周りを、穴（１４）を設けた浮き（８）を接続している連結チェーン（７）にて連結し、浮き（８）が浮力にて回転する事によって、動力伝達歯車（１３）が連動し、回転して動力を発生する。  その時、空気室（３）にはエアーポンプ、又はエアーボンベ等をパイプで接続し、空気の補給をする。【選択図】  図１
2005090500.tif 000002
【特許請求の範囲】
【請求項１】
水、及び液体（２）の下部に空気室（３）を設け、滑車、及び歯車を配して、その廻りを穴（１４）を設けた浮き（８）を付けた連結チェーン（７）に連結し、浮き（８）の浮力によって動力を発生する装置。
【発明の詳細な説明】
【技術分野】
【０００１】  本発明は、化石燃料を必要とせず、水と空気のみによる動力発生装置に関するものである。
【背景技術】
【０００２】  従来の動力装置は、石炭、石油、ガス、原子カウラン等と常に化石燃料が必要な内燃機関であり、大気汚染や地球温暖化、又、近年例をみない大量消費による化石燃料資源の枯渇も問題視されている。【０００３】  それゆえ、最近ではエコエネルギーと称して風力発電や太陽熱発電等の開発に余念が無いが、残念な事に天候気象に左右され、安定した動力が期待できない状態にある。
【発明の開示】
【発明が解決しようとする課題】
【０００４】  化石燃料を使用せず、天候気象にも左右されない、安全且つ安定したエネルギー供給が成されていない点にある。
【問題を解決しようとする課題】
【０００５】  本発明は、安全、且つ安定したエネルギーを供給する為に、水中、及び液体中に存する空気の浮力を最大限に利用する事を最も主要な特徴とする。
【発明の効果】
【０００６】  本発明の動力装置は、水と空気さえあれば、所、場所を選ばず、水槽が無くても水溜りのある池や沼でも活用でき、海岸の海中でも設置できる。
当然、メンテナンスさえしっかりすれば各家庭にも戸別に設置でき、送電線、電柱等も不要となる。
【発明を実施する為の最良の形態】
【０００７】  化石燃料を使用せず、又、天候気象にも左右されずに安全安定供給できる動力エネルギーを発生させるという目的を、水中、及び液体中に於ける浮きに空気を供給する事によって、浮きを回転させる事で実現した。
【実施例１】
【０００８】  図１は、本発明装置の右回転させた場合の実施例断面図である。
図２は、浮き（８）の詳細断面図であり、水、及び液体（２）の抵抗を少なくする為に流線形をしており、先細りした側に穴（１４）を設けている。【０００９】  水槽（１）の底部に空気室（３）を設け、浮き（８）を取り付けた連結チェーン（７）が回転するように、大滑車（９）、中滑車（１０），小滑車（１１）、（１２）、をそれぞれ配し設置する。【００１０】  空気室（３）への水圧を少しでも軽減する為に、水槽（１）の厚み、奥行きは浮き（８）の径より少し大きい程度に留め、狭い事によってその内壁が流動する浮き（８）をスムーズに動かすガイドパネルの役目もする。又、同じ目的の為、浮き（８）の流動に関係しない余分なスペースは空洞部分（４）のように水量を減らす役目をさせる。【００１１】  次に、浮き（８）が泳ぐように流動回転させる為に水ライン（５）を浮き（８）が完全に被るように上部に設定する。【００１２】  以上のように、水槽（１）に水、及び液体（２）が入ると左縦列の浮き（８）は空気を内包している為、浮力で上へと上がり始め、大滑車（９）と動力伝達歯車（１３）を右回りに回転させながら右縦列に廻り込んでくる。
その時に、浮き（８）の穴（１４）が上向きになりそこから水、及び液体（２）が入り込み、浮き本来の役目は無くなり自重で下へと沈み落下していく事となる。【００１３】  沈み落ちた浮き（８）は、小滑車（１１）を介して中滑車（１０）に向かって引き上げられ、浮き（８）の穴（１４）が下向きになる為、内包していた水、及び液体（２）を吐き出しながら空気室（３）に進入し、空気を内包する事となる。【００１４】  その過程に於いて、浮き（８）が中滑車（１０）に引っ掛かりやすい為、３項目の工夫をした。判りやすく項目にして説明する。
１）  浮き（８）の自重を利用して中滑車（１０）の外側に周り込むように、図１で図示しているように、小滑車（１１）を１つ増やして連結チェーン（７）を斜めに張る。
２）  連結チェーン（７）はロープや鎖でも構わないが短距離にて浮き（８）は左から右へと素早く移動せねばならないので、連結チェーン（７）に対して浮き（８）は直角に３６０度自由自在に動く必要がある。その為、浴槽のゴム栓によく使用されている数珠状の鎖がその条件を満たしており、実験の結果も良好であったので、これ、もしくは、この条件を満たすものを使用する事とする。
３）  浮き（８）が３６０度自在に動く為に、動きすぎて中滑車（１０）の内側に廻り込んで引っ掛かる事が度々あった。これを解消する為にガイドパネル（６）を設置した。
以上、３項目の工夫により空気室（３）内での浮き（８）の動きはスムーズになる。【００１５】  次に、中滑車（１０）から小滑車（１２）への浮き（８）の移動形態について説明する事とする。
この時、浮き（８）は穴（１４）を上に向けて水、及び液体（２）の中に突っ込んでくる事になり、水、及び液体（２）が再度入り込まないかという心配と直面する事となる。
これを解消する為に、図２に示すように浮き（８）の片側を先細りにし、そこに穴（１４）を設ける。次に、図１に示すように中滑車（１０）、空気室（３）の左側面内壁、小滑車（１２）、以上３ヶ所の兼ね合いにて浮き（８）をできるだけ垂直に落下するように設定し、又、浮き（８）が短時間にて左縦列に移動するように小滑車（１２）を空気室（３）の左壁の下部にできるだけ接近させて設置する。
以上の事により、物理的にいえば表面張力現象だと思われるが浮き（８）の移動速度にもよるが水、及び液体（２）が入り込むことはない。【００１６】  実験サンプルでは、浮き（８）の移動速度は０．２ｍ／ｓと、かなり遅いが水、及び液体（２）が入り込む事はまったくなく、空気室（３）に空気が補給され続ければ浮き（８）は移動回転し続け、大滑車（９）及び、動力伝達歯車（１３）の回転が止まることはない。【００１７】  次に、問題となるのが図１に示した本発明装置は、外部より空気室（３）へ空気を補給しないと稼動しないという点である。
空気を外部より補給する方法としては、エアーポンプ、又はエアーボンベが考えられるが、本発明装置で発電する事を思えば電力を使用するエアーポンプにて比較検討する事とする。
要するに、エアーポンプで消費する電力よりも本発明装置による発電力が上回るかの問題である。
【実施例２】
【００１８】  図３、図４は本発明装置の実施例断面図である。
図面上の見づらさを避ける為に、図３、図４共に水ライン（５）、連結チェーン（７）、浮き（８）は省略してある。【００１９】  図３、図４の比較説明は判りやすく項目別に並べる事とする。
１）  大滑車（９）、動力伝達歯車（１３）は図４が大きい。
２）  水槽（１）は図４が大きいが、大滑車（９）、動力伝達歯車（１３）も大きくなっている為、水量は変わらず空気室（３）への水圧はそんなに変わらない。
３）  図３、図４共に空気室（３）の容積、大きさは同じである。
４）  図３、図４共に動力伝達小歯車（１５）の径の大きさは同じである。
５）  図３、図４共に浮き（８）と浮き（８）の取り付け間隔は同じで、大きさ容量も同じである。
図４のほうが当然、連結チェーン（７）は長くなり、浮き（８）の数量も多くなるが浮き（８）の取り付け間隔が同じで、大きさ容量も同じであれば浮力、速度共に、図３、図４は同じである。【００２０】  以上の事から、判る事を、項目別に列記説明する事とする。
１）  図３、図４共に、浮き（８）の速度が同じなので、空気室（３）へ空気供給量は同じであり、エアーポンプの消費電力は共に同じである。
２）  図３、図４共に、浮き（８）の速度が同じなので、動力伝達小歯車（１５）の回転速度は共に同じである。
３）  図３、図４共に、浮き（８）の浮力が同じなので、動力伝達小歯車（１５）への伝達動力は図４のほうが大きくなる。
４）  浮き（８）の浮力は、大滑車（９）の芯ではなく、あくまでも外周部に加わっているので、大滑車（９）、動力伝達歯車（１３）の径が大きくなればなるほど、伝達動力も比例して大きくなる。【００２１】  これは、いわば、水車と同じ原理である。
一定の力と速度を持った小川の流れで、水車の径が大きくなればなるほど動力が大きくなるのは自明の理である。
しかし、本発明装置と水車には根本的な違いが２点ある。
１）  本発明装置は設置場所を選ばないが、水車は小川がなければ設置できない。
２）  本発明装置の大滑車（９）、動力伝達歯車（１３）の水抵抗をできるだけ少ない構造で製作すれば、水中、及び液体中にある為、浮力が生じて軽く回転し、水車は空気中にて重力を受けている為、回転が重くなる。【００２２】  以上の事により、図４で示すように大滑車（９）、動力伝達歯車（１３）の径を大きくする事により、本発明装置の発生動力による発電能力が、本発明装置を稼動する為のエアーポンプの消費電力を上回る事ができる。
尚、有名な通説になっているエネルギー保存の法則と本発明装置は無関係と思われる。
【産業上の利用可能性】
【００２３】  浮き（８）の回転する様子や、上部回転時に空気の泡を吐き出す様子が結構おもしろく、浮き（８）や他の部品に彩色を施すと観賞用水槽での観賞用パーツとしても使えるし、子供向けの玩具としても利用できる。
【図面の簡単な説明】
【００２４】
【図１】  本発明装置の実施方法を示した断面図である。（実施例１）
【図２】  本発明装置の実施方法中、浮き（８）の断面詳細図である。（実施例１）
【図３】  本発明装置の実施方法を示した図４に対する比較断面図である。（実施例２）
【図４】  本発明装置の実施方法を示した図３に対する比較断面図である。（実施例２）
【符号の説明】
【００２５】（１）      水槽
（２）      水、及び液体
（３）      空気室
（４）      空洞部分
（５）      水ライン
（６）      ガイドパネル
（７）      連結チェーン
（８）      浮き
（９）      大滑車
（１０）    中滑車
（１１）    小滑車
（１２）    小滑車
（１３）    動力伝達歯車
（１４）    穴
（１５）    動力伝達小歯車
【図１】
2005090500.tif 000003
【図２】
2005090500.tif 000004
【図３】
2005090500.tif 000005
【図４】
2005090500.tif 000006